(57)【要約】【課題】経路上における予約番組の視聴が可能な区間を分かりやすい表示態様でユーザに提示することができる「移動体端末装置および経路表示方法」を提供すること。【解決手段】放送局、視聴時間帯を指定した番組の視聴予約を行う手段２０と、指定視聴時間帯に指定放送局の番組を自動出力する手段２１と、指定放送局の受信可能エリア情報を取得する手段３０と、経路画像を表示する手段３１と、経路の中から視聴時間帯予想通行区間を算出する手段３２と、視聴時間帯予想通行区間を、受信可能エリア情報に基づいて視聴可能区間と視聴不可能区間とに区分する手段３３と、視聴可能区間と視聴不可能区間とを経路画像上において互いに異なる表示態様で表示させる手段３４とを備えたこと。【選択図】図１
2014020921.tif 000002
【特許請求の範囲】
【請求項１】
放送局による放送を受信する放送受信手段と、
地図情報に基づいて目的地までの経路にしたがった経路誘導を行うナビゲーション手段と
を備えた移動体端末装置であって、
前記放送受信手段は、
放送局および視聴時間帯を指定した番組の視聴予約を行うための視聴予約手段と、
この視聴予約手段に指定された前記視聴時間帯に、前記視聴予約手段に指定された前記放送局の番組を自動的に出力する自動出力手段と
を備え、
前記ナビゲーション手段は、
前記視聴予約手段に指定された放送局の受信可能エリア情報を取得する第１の受信可能エリア情報取得手段と、
前記経路の画像を表示部に表示する経路表示手段と、
この経路表示手段による前記経路の画像の表示の際に、前記経路の中から、前記指定された視聴時間帯における通行が予想される視聴時間帯予想通行区間を算出する視聴時間帯予想通行区間算出手段と、
この視聴時間帯予想通行区間算出手段によって算出された前記視聴時間帯予想通行区間を、前記第１の受信可能エリア情報取得手段によって取得された前記受信可能エリア情報に基づいて、前記指定された視聴時間帯における前記指定された放送局の番組の視聴が可能とみなされる視聴可能区間と当該視聴が不可能とみなされる視聴不可能区間とに区分する視聴可否区分手段と、
この視聴可否区分手段によって区分された前記視聴可能区間と前記視聴不可能区間とを前記経路の画像上において互いに異なる表示態様で表示させるように前記経路表示手段を制御する表示制御手段と
を備えたことを特徴とする移動体端末装置。
【請求項２】
前記表示制御手段は、
前記算出された視聴時間帯予想通行区間とこの区間以外の経路区間とを前記経路の画像上において互いに異なる表示態様で表示させるように前記経路表示手段を制御すること
を特徴とする請求項１に記載の移動体端末装置。
【請求項３】
前記経路の画像上における前記算出された視聴時間帯予想通行区間の始端部に対応する位置に、前記指定された視聴時間帯の開始を示す情報を表示するとともに、当該画像上における当該視聴時間帯予想通行区間の終端部に対応する位置に、当該視聴時間帯の終了を示す情報を表示する視聴開始／終了表示手段を備えたこと
を特徴とする請求項１または請求項２に記載の移動体端末装置。
【請求項４】
前記放送受信手段は、
放送局および記録時間帯を指定した番組の記録予約を行うための記録予約手段と、
この記録予約手段に指定された前記記録時間帯に、前記記録予約手段に指定された前記放送局の番組を自動的に記録する自動記録手段と
を備え、
前記ナビゲーション手段は、
前記記録予約手段に指定された放送局の受信可能エリア情報を取得する第２の受信可能エリア情報取得手段と、
前記経路表示手段による前記経路の画像の表示の際に、前記経路の中から、前記指定された記録時間帯における通行が予想される記録時間帯予想通行区間を算出する記録時間帯予想通行区間算出手段と、
この記録時間帯予想通行区間算出手段によって算出された前記記録時間帯予想通行区間を、前記第２の受信可能エリア情報取得手段によって取得された前記受信可能エリア情報に基づいて、前記指定された記録時間帯における前記指定された放送局の番組の記録が可能とみなされる記録可能区間と当該記録が不可能とみなされる記録不可能区間とに区分する記録可否区分手段と
を備え、
前記表示制御手段は、
前記記録可否区分手段によって区分された前記記録可能区間と前記記録不可能区間とを前記経路の画像上において互いに異なる表示態様で表示させるように前記経路表示手段を制御すること
を特徴とする請求項１乃至請求項３のいずれか１項に記載の移動体端末装置。
【請求項５】
前記表示制御手段は、
前記算出された記録時間帯予想通行区間とこの区間以外の経路区間とを前記経路の画像上において互いに異なる表示態様で表示させるように前記経路表示手段を制御すること
を特徴とする請求項４に記載の移動体端末装置。
【請求項６】
前記経路の画像上における前記算出された記録時間帯予想通行区間の始端部に対応する位置に、前記指定された記録時間帯の開始を示す情報を表示するとともに、当該画像上における当該記録時間帯予想通行区間の終端部に対応する位置に、当該記録時間帯の終了を示す情報を表示する記録開始／終了表示手段を備えたこと
を特徴とする請求項４または請求項５に記載の移動体端末装置。
【請求項７】
前記受信可能エリア情報は、前記地図情報に対応付けられた状態で情報源に保有されていること
を特徴とする請求項１乃至請求項６のいずれか１項に記載の移動体端末装置。
【請求項８】
前記放送受信手段の動作履歴を通行履歴と対応付けて記録する履歴記録手段を備え、
前記受信可能エリア情報取得手段は、前記履歴記録手段によって記録された履歴を前記受信可能エリア情報の取得に用いること
を特徴とする請求項７に記載の移動体端末装置。
【請求項９】
表示態様は、表示色を含むこと
を特徴とする請求項１乃至請求項８のいずれか１項に記載の移動体端末装置。
【請求項１０】
ナビゲーションにおける目的地までの経路を表示部に表示するための経路表示方法であって、
放送局および視聴時間帯を指定した番組の視聴予約を行う第１のステップと、
この第１のステップにおいて指定された前記放送局の受信可能エリア情報を取得する第２のステップと
前記経路の中から、前記第１のステップにおいて指定された前記視聴時間帯における通行が予想される視聴時間帯予想通行区間を算出する第３のステップと、
この第３のステップにおいて算出された前記視聴時間帯予想通行区間を、前記第２のステップにおいて取得された前記受信可能エリア情報に基づいて、前記指定された視聴時間帯における前記指定された放送局の番組の視聴が可能とみなされる視聴可能区間と当該視聴が不可能とみなされる視聴不可能区間とに区分する第４のステップと、
この第４のステップにおいて区分された前記視聴可能区間と前記視聴不可能区間とを前記経路の画像上において互いに異なる表示態様で表示する第５のステップと
を含むことを特徴とする経路表示方法。
【請求項１１】
前記第５のステップは、
前記算出された視聴時間帯予想通行区間とこの区間以外の経路区間とを前記経路の画像上において互いに異なる表示態様で表示するステップであること
を特徴とする請求項１０に記載の経路表示方法。
【請求項１２】
前記経路の画像上における前記算出された視聴時間帯予想通行区間の始端部に対応する位置に、前記指定された視聴時間帯の開始を示す情報を表示するとともに、当該画像上における当該視聴時間帯予想通行区間の終端部に対応する位置に、当該視聴時間帯の終了を示す情報を表示する第６のステップを含むこと
を特徴とする請求項１０または請求項１１に記載の経路表示方法。
【請求項１３】
放送局および記録時間帯を指定した番組の記録予約を行う第１’のステップと、
この第１’のステップにおいて指定された前記放送局の受信可能エリア情報を取得する第２’のステップと、
前記経路の中から、前記第１’のステップにおいて指定された前記記録時間帯における通行が予想される記録時間帯予想通行区間を算出する第３’のステップと、
この第３’のステップにおいて算出された前記記録時間帯予想通行区間を、前記第２’のステップにおいて取得された前記受信可能エリア情報に基づいて、前記指定された記録時間帯における前記指定された放送局の番組の記録が可能とみなされる記録可能区間と当該記録が不可能とみなされる記録不可能区間とに区分する第４’のステップと、
この第４’のステップにおいて区分された前記記録可能区間と前記記録不可能区間とを前記経路の画像上において互いに異なる表示態様で表示する第５’のステップと
を含むことを特徴とする請求項１０乃至請求項１２のいずれか１項に記載の経路表示方法。
【請求項１４】
前記第５’のステップは、
前記算出された記録時間帯予想通行区間とこの区間以外の経路区間とを前記経路の画像上において互いに異なる表示態様で表示するステップであること
を特徴とする請求項１３に記載の経路表示方法。
【請求項１５】
前記経路の画像上における前記算出された記録時間帯予想通行区間の始端部に対応する位置に、前記指定された記録時間帯の開始を示す情報を表示するとともに、当該画像上における当該記録時間帯予想通行区間の終端部に対応する位置に、当該記録時間帯の終了を示す情報を表示する第６’のステップを含むこと
を特徴とする請求項１３または請求項１４に記載の経路表示方法。
【発明の詳細な説明】
【技術分野】
【０００１】
本発明は、移動体端末装置および経路表示方法に係り、特に、放送番組の視聴に好適な移動体端末装置および経路表示方法に関する。
【背景技術】
【０００２】
従来から、車載機等に搭載された移動体用の放送受信装置においては、電子番組表(ＥＰＧ：Electronic Program Guide)等を用いて、電波放送網の視聴予約を行うことが可能とされていた。
【０００３】
しかるに、この種の放送受信装置においては、エリア毎に電波放送網の放送内容が異なる場合があることによって、視聴予約を行った番組が必ずしも移動先の地点において予約時間帯に放送されているとは限らないことが問題点として指摘されていた。
【０００４】
このような問題点に対しては、これまでにも種々の解決手段が提案されており、例えば、特許文献１においては、誘導経路に基づいて、予約番組の放送開始時刻に到達する地点の放送エリアが当該番組が予約された地点の放送エリアと異なる場合に、現在の予約番組を系列局で同一時刻に放送される同一番組に変更する技術が提案されている。
【０００５】
また、特許文献２においては、放送開始時刻に到達する移動位置と放送終了時刻に到達する移動位置とに基づいて放送中移動範囲を予測し、放送開始時刻から放送終了時刻までの間、放送波を中断することなく受信できないと判定したとき、通信手段を介して外部記憶手段に記憶要求を行う技術が提案されている。
【先行技術文献】
【特許文献】
【０００６】
【特許文献１】特開２００８−２９４８３９号公報
【特許文献２】特開２０１１−１３５４４９号公報
【発明の概要】
【発明が解決しようとする課題】
【０００７】
しかしながら、特許文献１および２に記載の技術においても、視聴予約した番組の視聴が可能な区間を経路上に分かりやすい表示態様で可視化することまでは行われていないため、当該区間を事前に把握した上での旅行計画を検討することは困難であった。
【０００８】
そこで、本発明は、このような点に鑑みなされたものであり、経路上における予約番組の視聴が可能な区間を分かりやすい表示態様でユーザに提示することができ、ひいては、この提示された内容に応じたルート選択の機会をユーザに与えて、予約番組の視聴に適した旅行計画を検討させることができる移動体端末装置および経路表示方法を提供することを目的とするものである。
【課題を解決するための手段】
【０００９】
前述した目的を達成するため、本発明に係る移動端末装置は、放送局による放送を受信する放送受信手段と、地図情報に基づいて目的地までの経路にしたがった経路誘導を行うナビゲーション手段とを備えた移動体端末装置であって、前記放送受信手段は、放送局および視聴時間帯を指定した番組の視聴予約を行うための視聴予約手段と、この視聴予約手段に指定された前記視聴時間帯に、前記視聴予約手段に指定された前記放送局の番組を自動的に出力する自動出力手段とを備え、前記ナビゲーション手段は、前記視聴予約手段に指定された放送局の受信可能エリア情報を取得する第１の受信可能エリア情報取得手段と、前記経路の画像を表示部に表示する経路表示手段と、この経路表示手段による前記経路の画像の表示の際に、前記経路の中から、前記指定された視聴時間帯における通行が予想される視聴時間帯予想通行区間を算出する視聴時間帯予想通行区間算出手段と、この視聴時間帯予想通行区間算出手段によって算出された前記視聴時間帯予想通行区間を、前記第１の受信可能エリア情報取得手段によって取得された前記受信可能エリア情報に基づいて、前記指定された視聴時間帯における前記指定された放送局の番組の視聴が可能とみなされる視聴可能区間と当該視聴が不可能とみなされる視聴不可能区間とに区分する視聴可否区分手段と、この視聴可否区分手段によって区分された前記視聴可能区間と前記視聴不可能区間とを前記経路の画像上において互いに異なる表示態様で表示させるように前記経路表示手段を制御する表示制御手段とを備えたことを特徴としている。
【００１０】
また、本発明に係る経路表示方法は、ナビゲーションにおける目的地までの経路を表示部に表示するための経路表示方法であって、放送局および視聴時間帯を指定した番組の視聴予約を行う第１のステップと、この第１のステップにおいて指定された前記放送局の受信可能エリア情報を取得する第２のステップと前記経路の中から、前記第１のステップにおいて指定された前記視聴時間帯における通行が予想される視聴時間帯予想通行区間を算出する第３のステップと、この第３のステップにおいて算出された前記視聴時間帯予想通行区間を、前記第２のステップにおいて取得された前記受信可能エリア情報に基づいて、前記指定された視聴時間帯における前記指定された放送局の番組の視聴が可能とみなされる視聴可能区間と当該視聴が不可能とみなされる視聴不可能区間とに区分する第４のステップと、この第４のステップにおいて区分された前記視聴可能区間と前記視聴不可能区間とを前記経路の画像上において互いに異なる表示態様で表示する第５のステップとを含むことを特徴としている。
【００１１】
そして、このような本発明によれば、視聴可能区間と視聴不可能区間とを経路の画像上において互いに異なる表示態様で表示させることができるので、経路上における予約番組の視聴可能区間を分かりやすい表示態様でユーザに提示することができ、ひいては、この提示された内容に応じたルート選択（ルート変更等）の機会をユーザに与えて、予約番組の視聴に適した旅行計画を検討させることができる。
【００１２】
さらに、本発明の移動体端末装置において、前記表示制御手段は、前記算出された視聴時間帯予想通行区間とこの区間以外の経路区間とを前記経路の画像上において互いに異なる表示態様で表示させるように前記経路表示手段を制御してもよい。同様に、本発明の経路表示方法において、前記第５のステップは、前記算出された視聴時間帯予想通行区間とこの区間以外の経路区間とを前記経路の画像上において互いに異なる表示態様で表示するステップであってもよい。
【００１３】
そして、このような本発明によれば、視聴時間帯予想通行区間を分かりやすい表示態様でユーザに提示することによって、この視聴時間帯予想通行区間に含まれる視聴可能区間を更に分かりやすい表示態様でユーザに提示することができる。
【００１４】
さらにまた、本発明の移動体端末装置において、前記経路の画像上における前記算出された視聴時間帯予想通行区間の始端部に対応する位置に、前記指定された視聴時間帯の開始を示す情報を表示するとともに、当該画像上における当該視聴時間帯予想通行区間の終端部に対応する位置に、当該視聴時間帯の終了を示す情報を表示する視聴開始／終了表示手段を備えてもよい。同様に、本発明の経路表示方法において、前記経路の画像上における前記算出された視聴時間帯予想通行区間の始端部に対応する位置に、前記指定された視聴時間帯の開始を示す情報を表示するとともに、当該画像上における当該視聴時間帯予想通行区間の終端部に対応する位置に、当該視聴時間帯の終了を示す情報を表示する第６のステップを含んでもよい。
【００１５】
そして、このような本発明によれば、視聴時間帯予想通行区間を更に分かりやすい表示態様でユーザに提示することによって、視聴可能区間を更に簡便に把握させることができる。
【００１６】
また、本発明の移動体端末装置において、前記放送受信手段は、放送局および記録時間帯を指定した番組の記録予約を行うための記録予約手段と、この記録予約手段に指定された前記記録時間帯に、前記記録予約手段に指定された前記放送局の番組を自動的に記録する自動記録手段とを備え、前記ナビゲーション手段は、前記記録予約手段に指定された放送局の受信可能エリア情報を取得する第２の受信可能エリア情報取得手段と、前記経路表示手段による前記経路の画像の表示の際に、前記経路の中から、前記指定された記録時間帯における通行が予想される記録時間帯予想通行区間を算出する記録時間帯予想通行区間算出手段と、この記録時間帯予想通行区間算出手段によって算出された前記記録時間帯予想通行区間を、前記第２の受信可能エリア情報取得手段によって取得された前記受信可能エリア情報に基づいて、前記指定された記録時間帯における前記指定された放送局の番組の記録が可能とみなされる記録可能区間と当該記録が不可能とみなされる記録不可能区間とに区分する記録可否区分手段とを備え、前記表示制御手段は、前記記録可否区分手段によって区分された前記記録可能区間と前記記録不可能区間とを前記経路の画像上において互いに異なる表示態様で表示させるように前記経路表示手段を制御してもよい。同様に、本発明の経路表示方法において、放送局および記録時間帯を指定した番組の記録予約を行う第１’のステップと、この第１’のステップにおいて指定された前記放送局の受信可能エリア情報を取得する第２’のステップと、前記経路の中から、前記第１’のステップにおいて指定された前記記録時間帯における通行が予想される記録時間帯予想通行区間を算出する第３’のステップと、この第３’のステップにおいて算出された前記記録時間帯予想通行区間を、前記第２’のステップにおいて取得された前記受信可能エリア情報に基づいて、前記指定された記録時間帯における前記指定された放送局の番組の記録が可能とみなされる記録可能区間と当該記録が不可能とみなされる記録不可能区間とに区分する第４’のステップと、この第４’のステップにおいて区分された前記記録可能区間と前記記録不可能区間とを前記経路の画像上において互いに異なる表示態様で表示する第５’のステップとを含んでもよい。
【００１７】
そして、このような本発明によれば、記録可能区間と記録不可能区間とを経路の画像上において互いに異なる表示態様で表示させることができるので、視聴予約を行う場合だけでなく、記録予約を行う場合にも有効に対応することができる。
【００１８】
さらに、本発明の移動体端末装置において、前記表示制御手段は、前記算出された記録時間帯予想通行区間とこの区間以外の経路区間とを前記経路の画像上において互いに異なる表示態様で表示させるように前記経路表示手段を制御してもよい。同様に、本発明の経路表示方法において、前記第５’のステップは、前記算出された記録時間帯予想通行区間とこの区間以外の経路区間とを前記経路の画像上において互いに異なる表示態様で表示するステップであってもよい。
【００１９】
そして、このような本発明によれば、記録時間帯予想通行区間を分かりやすい表示態様でユーザに提示することによって、この記録時間帯予想通行区間に含まれる記録可能区間を更に分かりやすい表示態様でユーザに提示することができる。
【００２０】
さらにまた、本発明の移動体端末装置において、前記経路の画像上における前記算出された記録時間帯予想通行区間の始端部に対応する位置に、前記指定された記録時間帯の開始を示す情報を表示するとともに、当該画像上における当該記録時間帯予想通行区間の終端部に対応する位置に、当該記録時間帯の終了を示す情報を表示する記録開始／終了表示手段を備えてもよい。同様に、本発明の経路表示方法において、前記経路の画像上における前記算出された記録時間帯予想通行区間の始端部に対応する位置に、前記指定された記録時間帯の開始を示す情報を表示するとともに、当該画像上における当該記録時間帯予想通行区間の終端部に対応する位置に、当該記録時間帯の終了を示す情報を表示する第６’のステップを含んでもよい。
【００２１】
そして、このような本発明によれば、記録時間帯予想通行区間を更に分かりやすい表示態様でユーザに提示することによって、記録可能区間を更に簡便に把握させることができる。
【００２２】
また、本発明の移動体端末装置において、前記受信可能エリア情報は、前記地図情報に対応付けられた状態で情報源に保有されていてもよい。
【００２３】
そして、このような構成によれば、受信可能エリア情報を簡便かつ効率的に取得することができる。
【００２４】
さらに、本発明の移動体端末装置において、前記放送受信手段の動作履歴を通行履歴と対応付けて記録する履歴記録手段を備え、前記受信可能エリア情報取得手段は、前記履歴記録手段によって記録された履歴を前記受信可能エリア情報の取得に用いてもよい。
【００２５】
そして、このような構成によれば、履歴情報を用いることによって、受信可能エリア情報の精度を高めることができ、ひいては、経路表示の信頼性を向上させることができる。
【００２６】
さらにまた、本発明の移動体端末装置において、表示態様は、表示色を含んでもよい。
【００２７】
そして、このような構成によれば、視聴可能区間と視聴不可能区間とを経路の画像上において互いに異なる表示色で表示させることができるので、経路上における予約番組の視聴可能区間を更に分かりやすい表示態様でユーザに提示することができる。
【発明の効果】
【００２８】
本発明によれば、経路上における予約番組の視聴可能区間を分かりやすい表示態様でユーザに提示することができ、ひいては、この提示された内容に応じたルート選択の機会をユーザに与えて、予約番組の視聴に適した旅行計画を検討させることができる。
【図面の簡単な説明】
【００２９】
【図１】本発明の第１実施形態において、移動体端末装置を示すブロック図
【図２】本発明の第１実施形態において、受信可能エリア情報の取得方法の一例を示す概念図
【図３】本発明の第１実施形態において、経路の画像の表示例を示す模式図
【図４】本発明の第１実施形態において、経路表示方法を示すフローチャート
【図５】本発明の第２実施形態において、移動体端末装置を示すブロック図
【図６】本発明の第２実施形態において、経路の画像の表示例を示す模式図
【図７】本発明の第２実施形態において、経路表示方法を示すフローチャート
【図８】本発明の第１変形例において、経路の画像の表示例を示す模式図
【図９】本発明の第２変形例において、経路の画像の表示例を示す模式図
【図１０】本発明の第３変形例において、経路の画像の表示例を示す模式図
【発明を実施するための形態】
【００３０】
（第１実施形態）
（移動体端末装置）
以下、本発明に係る移動体端末装置の第１実施形態について、図１乃至図３を参照して説明する。
【００３１】
図１は、本実施形態における移動体端末装置１を示すブロック図である。この移動体端末装置１は、車載機、携帯端末または車載機と携帯端末とを連携させたものであってもよい。
【００３２】
図１に示すように、移動体端末装置１は、大別して、放送受信手段としての放送受信部２、ナビゲーション手段としてのナビゲーション部３および表示部４によって構成されている。なお、図１に示すように、ナビゲーション部３は、地図データベース５に格納されたデータを利用可能とされている。
【００３３】
ここで、放送受信部２は、放送局による放送波（番組）を受信する機能を備えている。なお、放送として、地上デジタルテレビ放送を採用する場合には、放送受信部２は、基本的には、受信アンテナ、選局部（チューナ）、ＯＦＤＭ復調部、誤り訂正部、多重分離部、ＭＰＥＧデコード部、画像重畳部および制御部等によって構成してもよい。この場合に、制御部は、プログラムが記憶されたＲＯＭ等のプログラム記憶部、当該プログラムを実行するＣＰＵ等の演算処理装置、当該演算処理装置の処置結果の一時的な保存等に用いるＲＡＭ、Ｉ／Ｏ等によって構成してもよい。また、放送として、HD Radio（登録商標）やDAB等のデジタルラジオ放送を採用する場合には、放送受信部２は、基本的には、受信アンテナ、選局部、Ａ／Ｄ変換部、復調部、デコード部、Ｄ／Ａ変換部および制御部（プログラム記憶部、演算処理装置、ＲＡＭ、Ｉ／Ｏ等）などによって構成してもよい。さらに、放送受信部２は、地上デジタルテレビ放送およびデジタルラジオ放送の双方に対応し得るように構成してもよい。
【００３４】
また、ナビゲーション部３は、地図データ（地図情報）に基づいて目的地までの経路にしたがった経路誘導を行う機能を備えている。このナビゲーション部３は、基本的には、電波航法や自律航法によって移動体端末装置１の現在地（位置）を特定する現在地特定部、現在地等の指定された地点の周辺の領域の地図を表示部４に表示する地図描画部、設定された目的地までの経路を探索する経路探索部、この経路探索部によって探索された目的地までの経路を誘導経路とした経路誘導を行う経路誘導部等によって構成してもよい。なお、経路探索部は、移動体端末装置１に外部ネットワーク（例えば、インターネット）を介して通信可能に接続されたサーバがその機能を司るようにしてもよい。
【００３５】
さらに、地図データベース５には、道路地図、背景地図、地物名称等からなる地図の表示、経路探索、経路誘導および目的地検索等に用いられる地図データが格納されている。この地図データは、例えば、道路データフレーム、背景データフレーム、名称データフレーム、経路計算データフレーム、経路誘導データフレーム、地点情報フレーム等の各種の物理データフレームによって構成してもよい。この場合に、道路データフレームは、リンク列ヘッダ、リンク列の形状を示すリンク列形状情報、他のリンク列との関係を示すノード・リンク接続情報、ノード付加情報（リンクＩＤ、幅員・車線情報、道路名称等）、標高情報および通行規制情報等によって構成してもよい。また、背景データフレームは、図形（線または面）の形状を表現するための要素点座標情報（始点座標、オフセット座標等）が格納されたものであってもよい。さらに、名称データフレームは、表示クラス（建物、公園、河川等）ごとの名称データレコード列によって構成してもよい。さらにまた、経路計算データフレームは、ノードデータ、リンクレコード、規制レコード、リンク間コストレコード、リンクＩＤ、リンク自身のコスト、上位ノード・リンクを特定する情報およびノード座標等によって構成してもよい。また、経路誘導データフレームは、交差点名称、道路名称、方面名称、スポットガイドおよび方向ガイド等の誘導データ、この誘導データと関連した実体の表示文字、発音文字およびアクセント情報、誘導データと関連した実体を描画するための形状ならびに案内のために交差点の進入方向に応じた画像を描画するための実データ等によって構成してもよい。さらに、地点情報フレームは、地点の名称、位置（経緯度）、住所、郵便番号、電話番号、種別およびＰＯＩのアイコン等によって構成してもよい。
【００３６】
なお、地図データベース５は、ローカル（移動体端末装置１）上およびクラウド（サーバ）上のいずれか一方もしくは双方に保有されたものであってもよい。
【００３７】
次に、本実施形態に特有の構成について説明すると、まず、図１に示すように、放送受信部２は、視聴予約手段としての視聴予約部２０を有している。この視聴予約部２０は、放送局（換言すれば、チャンネルもしくは受信周波数）および視聴時間帯を指定した番組の視聴予約操作を受け付けて、この視聴予約操作に応じた予約内容を保持（記憶）するようになっている。なお、視聴予約部２０は、視聴予約操作用の操作画面を表示部４に表示することによって、視聴予約操作を受け付けるようにしてもよい。この場合に、操作画面としては、ＥＰＧを採用してもよい。また、視聴予約部２０は、これの機能を実現するためのプログラムをＣＰＵ等の演算処理装置が実行することによって具現化してもよい。演算処理装置が実行すべきプログラムについては、ＲＯＭ等のプログラム記憶部に格納しておき、また、演算処理装置の処理結果（予約内容）については、不揮発性メモリ等の記憶部に格納するようにしてもよい。
【００３８】
また、図１に示すように、放送受信部２は、自動出力手段としての自動出力部２１を有している。この自動出力部２１は、視聴予約部２０に指定された視聴時間帯に、視聴予約部２０に指定された放送局を自動的に選局して、当該放送局の放送番組を自動的に出力するようになっている。この出力は、視聴チャンネルの自動切換をともなう場合がある。なお、自動出力部２１は、前述した放送受信部２の制御部が、放送受信部２の選局動作およびデコード動作を、視聴予約部２０における予約内容に応じて自動的に制御することによって具現化してもよい。
【００３９】
一方、図１に示すようように、ナビゲーション部３は、第１の受信可能エリア情報取得手段としての第１の受信可能エリア情報取得部３０を有している。この第１の受信可能エリア情報取得部３０は、視聴予約部２０に指定された放送局の受信可能エリアを示す受信可能エリア情報を取得するようになっている。
【００４０】
ここで、本実施形態においては、各放送局ごとの受信可能エリア情報が、それぞれ、地図データ上の所定範囲の領域を示すデータとして、地図データと対応付けられた状態で地図データベース５（情報源）に格納されている。
【００４１】
そして、第１の受信可能エリア情報取得部３０は、このような地図データベース５から、視聴予約部２０に指定された放送局に該当する受信可能エリア情報を取得するようになっている。このとき、第１の受信可能エリア情報取得部３０は、視聴予約部２０への視聴予約が行われた時点において前述した現在地特定部によって特定された現在地を網羅するような受信可能エリア情報のうち、視聴予約部２０に指定された放送局に該当するものを、地図データベース５から取得するようにしてもよい。ただし、本発明は、このような構成に限定される必要はなく、例えば、放送受信部２の動作履歴を通行履歴と対応付けて記憶部に記録する履歴記録手段を備えた上で、第１の受信可能エリア情報取得部３０が、当該履歴記録手段によって記録された履歴を受信可能エリア情報の取得に用いてもよい。この場合に、通行履歴と対応付けられた放送受信部２の動作履歴としては、放送局ごとに、視聴中に受信電界強度やＣ／Ｎ値が所定の閾値以下に悪化した時点における通行地点を記録したものを採用してもよい。また、このような履歴記録手段による記録履歴は、地図データベース５上の受信可能エリア情報を修正してより正確な受信可能エリア情報を取得するために用いてもよい。図２は、このような場合における例を示したものである。同図におけるハッチングが施された領域Ａが、或る放送局についての地図データベース５上の受信可能エリアであり、同図における「×」印で示された複数の地点が、当該或る放送局についての前記履歴記録手段による記録履歴に該当する地点である。この場合に、受信可能エリアは、同図の破線部Ａ’に示すように、実際の通行結果を反映したより正確なエリアへと修正することができる。
【００４２】
なお、第１の受信可能エリア情報取得部３０は、これの機能を実現するためのプログラムを演算処理装置が実行することによって具現化してもよい。
【００４３】
また、図１に戻って、ナビゲーション部３は、経路表示手段としての経路表示処理部３１を有している。この経路表示処理部３１は、目的地までの経路の画像を、地図上の画像として表示部４に表示するようになっている。なお、経路の画像は、前述した経路探索部による探索結果として表示されるものであってもよく、また、経路探索部による探索後に前述した経路誘導部によって設定された誘導経路として表示されるものであってもよい。なお、経路表示処理部３１は、これの機能を実現するためのプログラムを演算処理装置が実行することによって具現化してもよい。また、経路表示処理部３１は、経路探索部または経路誘導部の一部であってもよい。
【００４４】
さらに、図１に示すように、ナビゲーション部３は、視聴時間帯予想通行区間算出手段としての視聴時間帯予想通行区間算出部３２を有している。この視聴時間帯予想通行区間算出部３２は、経路表示処理部３１による経路の画像の表示の際に、当該経路の中から、視聴予約部２０に指定された視聴時間帯における通行が予想される経路区間である視聴時間帯予想通行区間を算出するようになっている。この視聴時間帯予想通行区間の算出にあたっては、例えば、現在時刻および現在地を始点として、視聴予約部２０に指定された視聴時間帯の開始時刻および終了時刻における経路上の到着予想地点をそれぞれ求め、両地点に挟まれた経路区間として算出してもよい。この算出にあたっては、経路上のリンクに紐付けられている情報（リンク長、制限速度等の通行条件、リンク平均旅行時間、道路交通情報等）を利用してもよい。なお、視聴時間帯予想通行区間算出部３２は、これの機能を実現するためのプログラムを演算処理装置が実行することによって具現化してもよい。
【００４５】
さらにまた、図１に示すように、ナビゲーション部３は、視聴可否区分手段としての視聴可否区分部３３を有している。この視聴可否区分部３３は、視聴時間帯予想通行区間算出部３２によって算出された視聴時間帯予想通行区間を、第１の受信可能エリア情報取得部３０によって取得された受信可能エリア情報に基づいて、視聴可能区間と視聴不可能区間とに区分するようになっている。ただし、視聴可能区間とは、視聴予約部２０に指定された視聴時間帯に視聴予約部２０に指定された放送局の番組を視聴することが可能とみなされる視聴時間帯予想通行区間上の区間である。また、視聴不可能区間とは、視聴予約部２０に指定された視聴時間帯に視聴予約部２０に指定された放送局の番組を視聴することが不可能とみなされる視聴時間帯予想通行区間上の区間である。視聴時間帯予想通行区間は、視聴可能区間および視聴不可能区間のいずれか一方または双方によって構成される。視聴可否区分部３３は、視聴時間帯予想通行区間のうち、受信可能エリア情報に示される受信可能エリアに含まれる区間を、視聴可能区間に決定し、また、視聴時間帯予想通行区間のうち、当該受信可能エリアに含まれない区間を、視聴不可能区間に決定してもよい。なお、視聴可否区分部３３は、これの機能を実現するためのプログラムを演算処理装置が実行することによって具現化してもよい。
【００４６】
また、図１に示すように、ナビゲーション部３は、表示制御手段としての表示制御部３４を有している。この表示制御部３４は、視聴可否区分部３３によって区分された視聴可能区間と視聴不可能区間とを経路の画像上において互いに異なる表示態様で表示させるように経路表示処理部３１を制御するようになっている。ここで、表示態様は、表示色（ＲＧＢ値）であってもよい。なお、表示制御部３４は、これの機能を実現するためのプログラムを演算処理装置が実行することによって具現化してもよい。
【００４７】
そして、本実施形態において、経路表示処理部３１は、このような表示制御部３４の制御にしたがって、視聴可能区間と視聴不可能区間とを経路の画像上において互いに異なる表示態様で表示するようになっている。
【００４８】
このような構成によれば、経路上における予約番組の視聴可能区間を分かりやすい表示態様でユーザに提示することができ、ひいては、この提示された内容に応じたルート選択の機会をユーザに与えて、予約番組の視聴に適した旅行計画を事前に検討させることができる。
【００４９】
なお、表示制御部３４は、経路の画像を表示する際に、視聴時間帯予想通行区間算出部３２によって算出された視聴時間帯予想通行区間とこの区間以外の経路区間とを経路の画像上において互いに異なる表示態様で表示させるように経路表示処理部３１を制御してもよい。
【００５０】
このように構成すれば、視聴時間帯予想通行区間を分かりやすい表示態様でユーザに提示することによって、この視聴時間帯予想通行区間に含まれる視聴可能区間を更に分かりやすい表示態様でユーザに提示することができる。
【００５１】
さらに、図１に示すように、ナビゲーション部３は、視聴開始／終了表示手段としての視聴開始／終了表示処理部３５を有している。この視聴開始／終了表示処理部３５は、経路表示処理部３１によって表示される経路の画像上における視聴時間帯予想通行区間算出部３２によって算出された視聴時間帯予想通行区間の始端部に対応する位置に、視聴予約部２０に指定された視聴時間帯の開始を示す情報を重畳表示するようになっている。また、このとき、視聴開始／終了表示処理部３５は、経路の画像上における当該視聴時間帯予想通行区間の終端部に対応する位置に、当該視聴時間帯の終了を示す情報を重畳表示するようになっている。なお、視聴開始／終了表示処理部３５は、これの機能を実現するためのプログラム演算処理装置が実行することによって具現化してもよい。
【００５２】
このような構成によれば、視聴時間帯予想通行区間を更に分かりやすい表示態様でユーザに提示することによって、視聴可能区間を更に簡便に把握させることができる。
【００５３】
次に、図３は、本実施形態における経路の画像の表示例を示したものである。図３においては、地図上に、経路Ｒの画像として、視聴可能区間Ｓ１１と、視聴不可能区間Ｓ１２と、これら以外（すなわち、視聴時間帯予想通行区間以外）の区間Ｓ１３とに、互いに異なる表示色が割り当てられた画像が表示されている。また、視聴時間帯予想通行区間の始端部（図３においてはＳ１１の始端部）の近傍には、予約された視聴時間帯の開始を示す情報「視聴開始」が表示され、視聴時間帯予想通行区間の終端部（図３においてＳ１２の終端部）の近傍には、予約された視聴時間帯の終了を示す情報「視聴終了」が表示されている。なお、「視聴開始」の替わりに、具体的な視聴開始時刻を表示し、また、「視聴終了」の替わりに、具体的な視聴終了時刻を表示してもよい。このような画像を見たユーザは、視聴不可能区間Ｓ１２があることを容易に把握して、事前に経路の変更等の対処を採ることができる。なお、ナビゲーション部３（経路探索部）は、経路の視聴時間帯予想通行区間に視聴不可能区間が含まれることを検知した場合には、視聴時間帯予想通行区間に視聴可能区間のみが含まれる別経路を、ユーザ操作を待って、または、自動的に探索して、ユーザに提示するようにしてもよい。
【００５４】
（経路表示方法）
次に、本発明に係る経路表示方法の第１実施形態について、図４を参照して説明する。
【００５５】
本実施形態においては、例えば、経路探索部による経路の探索の完了や、経路誘導部による誘導経路の設定の完了等の経路の画像表示のトリガが発生したことを契機として、経路表示処理部３１による経路の画像の表示処理を開始する。
【００５６】
そして、まず、図４のステップ１（ＳＴ１）において、表示制御部３４により、視聴予約部２０への視聴予約が行われているか否かを判定する。そして、ステップ１（ＳＴ１）において肯定的な判定結果が得られた場合には、ステップ２（ＳＴ２）に進み、否定的な判定結果が得られた場合には、ステップ７（ＳＴ７）に進む。
【００５７】
ここで、ステップ２（ＳＴ２）以降の処理について先に説明すると、まず、ステップ２（ＳＴ２）においては、第１の受信可能エリア情報取得部３０により、ステップ１（ＳＴ１）の視聴予約において指定された放送局に該当する受信可能エリア情報を取得する。
【００５８】
次いで、ステップ３（ＳＴ３）において、視聴時間帯予想通行区間算出部３２により、経路表示処理部３１によって表示されるべき経路の中から、ステップ１（ＳＴ１）の視聴予約において指定された視聴時間帯における通行が予想される視聴時間帯予想通行区間を算出する。
【００５９】
次いで、ステップ４（ＳＴ４）において、視聴可否区分部３３により、ステップ３（ＳＴ３）において算出された視聴時間帯予想通行区間を、ステップ２（ＳＴ２）において取得された受信可能エリア情報に基づいて、視聴可能区間と視聴不可能区間とに区分する。
【００６０】
次いで、ステップ５（ＳＴ５）において、表示制御部３４の制御の下で、経路表示処理部３１により、ステップ４（ＳＴ４）において区分された視聴可能区間と視聴不可能区間とを経路の画像上において互いに異なる表示態様で表示する。このとき、ステップ４（ＳＴ４）において、視聴時間帯予想通行区間内に視聴可能区間および視聴不可能区間の一方のみが存在することが検知されている場合には、ステップ５（ＳＴ５）における視聴時間帯予想通行区間の表示態様は、当該検知された一方の区間に該当する表示態様のみとなる。
【００６１】
次いで、ステップ６（ＳＴ６）において、視聴開始／終了表示処理部３５により、経路の画像上におけるステップ３（ＳＴ３）において算出された視聴時間帯予想通行区間の始端部に対応する位置に、ステップ１（ＳＴ１）において指定された視聴時間帯の開始を示す情報を重畳表示するとともに、当該経路の画像上における当該視聴時間帯予想通行区間の終端部に対応する位置に、当該視聴時間帯の終了を示す情報を重畳表示して、処理を終了する。
【００６２】
一方、ステップ７（ＳＴ７）においては、経路表示処理部３１により、通常の経路の画像の表示を行って処理を終了する。
【００６３】
（第２実施形態）
（移動体端末装置）
次に、本発明に係る移動体端末装置の第２実施形態について、第１実施形態との差異を中心に、図５および図６を参照して説明する。
【００６４】
図５に示すように、本実施形態においては、放送受信部２が、第１実施形態の構成に加えて、更に、記録予約手段としての記録予約部２２と、自動記録手段としての自動記録部２３とを有している。
【００６５】
ここで、記録予約部２２は、放送局および記録時間帯を指定した番組の記録予約操作を受け付けて、この記録予約操作に応じた予約内容を保持（記憶）するようになっている。なお、記録予約部２２は、記録予約操作用の操作画面を表示部４に表示することによって、記録予約操作を受け付けるようにしてもよい。この場合に、操作画面としては、ＥＰＧを採用してもよい。また、記録予約部２２は、これの機能を実現するためのプログラムを演算処理装置が実行することによって具現化してもよい。
【００６６】
また、自動記録部２３は、記録予約部２２に指定された記録時間帯に、記録予約部２２に指定された放送局を自動的に記憶部に記録するようになっている。この自動記録部２３は、これの機能を実現するためのプログラムを演算処理装置が実行することによって具現化してもよい。
【００６７】
さらに、図５に示すように、本実施形態においては、ナビゲーション部３が、第１実施形態の構成に加えて、更に、第２の受信可能エリア情報取得手段としての第２の受信可能エリア情報取得部３６と、記録時間帯予想通行区間算出手段としての記録時間帯予想通行区間算出部３７と、記録可否区分手段としての記録可否区分部３８と、記録開始／終了表示手段としての記録開始／終了表示処理部３９とを有している。
【００６８】
ここで、第２の受信可能エリア情報取得部３６は、記録予約部２２に指定された放送局の受信可能エリアを示す受信可能エリア情報を取得するようになっている。なお、第２の受信可能エリア情報取得部３６は、第１の受信可能エリア情報取得部３０と同様の方法で、該当する放送局の受信可能エリア情報を取得してもよい。また、第２の受信可能エリア情報取得部３６は、これの機能を実現するためのプログラムを演算処理装置が実行することによって具現化してもよい。
【００６９】
また、記録時間帯予想通行区間算出部３７は、経路表示処理部３１による経路の画像の表示の際に、当該経路の中から、記録予約部２２に指定された記録時間帯における通行が予想される経路区間である記録時間帯予想通行区間を算出するようになっている。なお、記録時間帯予想通行区間は、視聴時間帯予想通行区間と同様の方法によって算出してもよい。また、記録時間帯予想通行区間算出部３７は、これの機能を実現するためのプログラムを演算処理装置が実行することによって具現化してもよい。
【００７０】
さらに、記録可否区分部３８は、記録時間帯予想通行区間算出部３７によって算出された記録時間帯予想通行区間を、第２の受信可能エリア情報取得部３６によって取得された受信可能エリア情報に基づいて、記録可能区間と記録不可能区間とに区分するようになっている。ただし、記録可能区間とは、記録予約部２２に指定された記録時間帯に記録予約部２２に指定された放送局の番組を記録することが可能とみなされる記録時間帯予想通行区間上の区間である。また、記録不可能区間とは、記録予約部２２に指定された記録時間帯に記録予約部２２に指定された放送局の番組を記録することが不可能とみなされる記録時間帯予想通行区間上の区間である。記録時間帯予想通行区間は、記録可能区間および記録不可能区間のいずれか一方または双方によって構成される。なお、記録可否区分部３８は、視聴可否区分部３３と同様に、記録時間帯予想通行区間のうち、受信可能エリア情報に示される受信可能エリアに含まれる区間を、記録可能区間に決定し、また、記録時間帯予想通行区間のうち、当該受信可能エリアに含まれない区間を、記録不可能区間に決定してもよい。また、記録可否区分部３８は、これの機能を実現するためのプログラムを演算処理装置が実行することによって具現化してもよい。
【００７１】
そして、本実施形態において、表示制御部３４は、記録可否区分部３８によって区分された記録可能区間と記録不可能区間とを経路の画像上において互いに異なる表示態様で表示させるように経路表示処理部３１を制御するようになっている。このとき、表示制御部３４は、更に、記録時間帯予想通行区間算出部３７によって算出された記録時間帯予想通行区間とこの区間以外の経路区間とを経路の画像上において互いに異なる表示態様で表示させるように経路表示処理部３１を制御してもよい。
【００７２】
さらにまた、記録開始／終了表示処理部３９は、経路表示処理部３１によって表示される経路の画像上における記録時間帯予想通行区間算出部３７によって算出された記録時間帯予想通行区間の始端部に対応する位置に、記録予約部２２によって指定された記録時間帯の開始時刻を重畳表示するようになっている。また、このとき、記録開始／終了表示処理部３９は、経路の画像上における当該記録時間帯予想通行区間の終端部に対応する位置に、当該記録時間帯の終了時刻を重畳表示するようになっている。なお、記録開始／終了表示処理部３９は、これの機能を実現するためのプログラム演算処理装置が実行することによって具現化してもよい。
【００７３】
このような構成によれば、記録可能区間と記録不可能区間とを経路の画像上において互いに異なる表示態様で表示させることができるので、視聴予約を行う場合だけでなく、記録予約を行う場合にも有効に対応することができる。
【００７４】
ここで、図６は、本実施形態における経路の画像の表示例を示したものである。
【００７５】
図６においては、地図上に、経路Ｒの画像として、記録可能区間Ｓ２１と、記録不可能区間Ｓ２２と、これら以外（すなわち、記録時間帯予想通行区間以外）の区間Ｓ２３とに、互いに異なる表示色が割り当てられた画像が表示されている。また、記録時間帯予想通行区間の始端部（図６においてはＳ２１の始端部）の近傍には、予約された記録時間帯の開始を示す情報「記録開始」が表示され、記録時間帯予想通行区間の終端部（図６においてＳ２２の終端部）の近傍には、予約された記録時間帯の終了を示す情報「記録終了」が表示されている。なお、「記録開始」の替わりに、具体的な記録開始時刻を表示し、また、「記録終了」の替わりに、具体的な記録終了時刻を表示してもよい。このような画像を見たユーザは、記録不可能区間Ｓ２２があることを容易に把握して、事前に経路の変更等の対処を採ることができる。なお、ナビゲーション部３（経路探索部）は、経路の記録時間帯予想通行区間に記録不可能区間が含まれることを検知した場合には、記録時間帯予想通行区間に記録可能区間のみが含まれる別経路を、ユーザ操作を待って、または、自動的に探索して、ユーザに提示するようにしてもよい。
【００７６】
（経路表示方法）
次に、本発明に係る経路表示方法の第２実施形態について、第１実施形態との差異を中心に、図７を参照して説明する。
【００７７】
本実施形態においては、ステップ１（ＳＴ１）からステップ６（ＳＴ６）までの一連の工程は、第１実施形態と同様である。
【００７８】
一方、本実施形態においては、ステップ１（ＳＴ１）において否定的な判定結果が得られた場合に、ステップ１’（ＳＴ１’）に進む。
【００７９】
このステップ１’（ＳＴ１’）においては、表示制御部３４により、記録予約部２２への記録予約が行われているか否かを判定する。そして、ステップ１’（ＳＴ１’）において肯定的な判定結果が得られた場合には、ステップ２’（ＳＴ２’）に進み、否定的な判定結果が得られた場合には、既述のステップ７（ＳＴ７）に進む。
【００８０】
次いで、ステップ２’（ＳＴ２’）において、第２の受信可能エリア情報取得部３６により、ステップ１’（ＳＴ１’）の記録予約において指定された放送局に該当する受信可能エリア情報を取得する。
【００８１】
次いで、ステップ３’（ＳＴ３’）において、記録時間帯予想通行区間算出部３７により、経路表示処理部３１によって表示されるべき経路の中から、ステップ１’（ＳＴ１’）の記録予約において指定された記録時間帯における通行が予想される記録時間帯予想通行区間を算出する。
【００８２】
次いで、ステップ４’（ＳＴ４’）において、記録可否区分部３８により、ステップ３’（ＳＴ３’）において算出された記録時間帯予想通行区間を、ステップ２’（ＳＴ２’）において取得された受信可能エリア情報に基づいて、記録可能区間と記録不可能区間とに区分する。
【００８３】
次いで、ステップ５’（ＳＴ５’）において、表示制御部３４の制御の下で、経路表示処理部３１により、ステップ４’（ＳＴ４’）において区分された記録可能区間と記録不可能区間とを経路の画像上において互いに異なる表示態様で表示する。このとき、ステップ４’（ＳＴ４’）において、記録時間帯予想通行区間内に記録可能区間および記録不可能区間の一方のみが存在することが検知されている場合には、ステップ５’（ＳＴ５’）における記録時間帯予想通行区間の表示態様は、当該検知された一方の区間に該当する表示態様のみとなる。
【００８４】
次いで、ステップ６’（ＳＴ６’）において、記録開始／終了表示処理部３９により、経路の画像上におけるステップ３’（ＳＴ３’）において算出された記録時間帯予想通行区間の始端部に対応する位置に、ステップ１’（ＳＴ１’）において指定された記録時間帯の開始を示す情報を重畳表示するとともに、当該経路の画像上における当該記録時間帯予想通行区間の終端部に対応する位置に、当該記録時間帯の終了を示す情報を重畳表示して、処理を終了する。
【００８５】
なお、本発明は、前述した実施の形態に限定される必要はなく、本発明の特徴を損なわない限度において種々変更してもよい。
【００８６】
例えば、視聴予約部２０において複数の番組を視聴予約した場合には、表示制御部３４の制御の下で、経路表示処理部３１により、図８に示すように、各番組ごとに、視聴可能区間と視聴不可能区間とを互いに異なる表示態様で表示できるように構成してもよい。
【００８７】
また、視聴予約部２０における視聴予約と記録予約部２２における記録予約との双方を行った場合には、表示制御部３４の制御の下で、経路表示処理部３１により、図９に示すように、各予約ごとに、視聴可能区間と視聴不可能区間とを互いに異なる表示態様で表示するとともに、記録可能区間と記録不可能区間とを互いに異なる表示態様で表示できるように構成してもよい。
【００８８】
さらに、ラジオ放送の中には、デジタルラジオが受信できないエリアにおいてアナログ放送に切り替わるものがあるが、このような場合には、視聴／記録時間帯予想通行区間におけるアナログ放送に切り替わる区間を、デジタルラジオ（デジタル放送番組）が視聴不可能な区間であることから視聴／記録不可能区間として扱ってもよい。このようにすれば、図１０に示すように、経路Ｒ上に、視聴／記録時間帯におけるデジタルラジオが視聴可能な区間Ｓｄとアナログラジオが視聴可能な区間Ｓａとを異なる表示態様で表示することができる。なお、この場合には、受信可能エリア情報として、デジタルラジオの受信可能エリア情報とアナログラジオの受信可能エリア情報との双方を取得できるように構成してもよい。
【００８９】
さらにまた、視聴／記録可能区間と視聴／記録不可能区間との表示態様を互いに異ならせるにあたっては、表示色以外の要素も異ならせるようにしてもよい。例えば、視聴／記録可能区間を常時表示させるのに対して、視聴／記録不可能区間は点滅表示させるようにしてもよい。
【符号の説明】
【００９０】
１  移動端末装置
２  放送受信部
３  ナビゲーション部
４  表示部
２０  視聴予約部
２１  自動出力部
３０  第１の受信可能エリア情報取得部
３１  経路表示処理部
３２  視聴時間帯予想通行区間算出部
３３  視聴可否区分部
３４  表示制御部
【図１】
2014020921.tif 000003
【図２】
2014020921.tif 000004
【図３】
2014020921.tif 000005
【図４】
2014020921.tif 000006
【図５】
2014020921.tif 000007
【図６】
2014020921.tif 000008
【図７】
2014020921.tif 000009
【図８】
2014020921.tif 000010
【図９】
2014020921.tif 000011
【図１０】
2014020921.tif 000012